(57)【要約】【課題】省スペース性、省労力性、衛生性等を兼ね備えた新規な格納寝具を提供することを目的とする。【解決手段】不使用時に各構成部材が格納される縦型の格納箱と、該格納箱に上下方向にガイドされて収納可能な敷きマット構成部材および掛布団部材と、該敷きマット構成部材および掛布団部材の先端部分を進退させる押出し・牽引手段と、該敷きマット構成部材および掛布団部材の基端を上向きに傾斜させる跳ね上げ手段と、前記敷きマット構成部材の先端下部に設置した移動可能な支持台とを備えたことを特徴とする格納寝具。【選択図】図３
2020081875.tif 000002
【特許請求の範囲】
【請求項１】
不使用時に各構成部材が格納される縦型の格納箱と、
該格納箱に上下方向にガイドされて収納可能な敷きマット構成部材および掛布団部材と、
該敷きマット構成部材および掛布団部材の先端部分を進退させる押出し・牽引手段と、
該敷きマット構成部材および掛布団部材の基端を上向きに傾斜させる跳ね上げ手段と、
前記敷きマット構成部材の先端下部に設置した移動可能な支持台とを備えたことを特徴とする格納寝具。
【請求項２】
前記格納箱に収納される前記敷きマット構成部材および掛布団部材が、接地面に対して縦長に設置されていることを特徴とする請求項１記載の格納寝具。
【請求項３】
前記格納箱に収納される前記敷きマット構成部材および掛布団部材が、接地面に対して横長に設置されていることを特徴とする請求項１記載の格納寝具。
【請求項４】
前記押出し・牽引手段が、前記格納箱下部に設けた前記敷きマット構成部材および掛布団部材を進退させるシリンダ型の押出し装置および牽引索条を巻き取る巻取器からなることを特徴とする請求項１ないし３のいずれかに記載の格納寝具。
【請求項５】
前記敷きマット構成部材の先端下部に設置した移動可能な支持台が、前記敷きマット構成部材に脚部を介して取り付けられており、かつ前記押出し・牽引手段による降下の際の下端位置を床面から所望の高さに保持することによって、前記敷きマット構成部材を適宜高さとすることができるようにしたことを特徴とする請求項１ないし４のいずれかに記載の格納寝具。
【請求項６】
前記支持台は、その下部に移動可能なキャスタが設置されており、かつ前記キャスタは前記支持台に設けたスライドガイドにほぼ中央を連結された折畳アームを介して首振り可能に取り付けられており、かつ前記キャスタに配設したリンク機構で、前記格納箱上部に前記敷きマット構成部材と掛布団部材とを引き上げたときに前記キャスタを折り畳むことができるようにしたことを特徴とする請求項１ないし５のいずれかに記載の格納寝具。
【請求項７】
前記支持台は、その下部に移動可能な逆Ｔ字型のキャスタが設置されており、前記支持台の後方に配設した伸縮アーム上に取り付けたおもりの前記支持台に対する位置を、前記支持台上に設けたシリンダ型の押出し装置の伸縮によって変えることにより、前記支持台の移動時の転倒を防止するようにしたことを特徴とする請求項１ないし５のいずれかに記載の格納寝具。
【請求項８】
不使用時に各構成部材が格納される縦型の格納箱と、
該格納箱に上下方向にガイドされて収納可能な敷きマット構成部材および掛布団部材と、
該敷きマット構成部材および掛布団部材の先端部分を進退させる押出し・牽引手段と、
該敷きマット構成部材および掛布団部材の基端を上向きに傾斜させる跳ね上げ手段と、
前記敷きマット構成部材の先端下部に設置した移動可能な支持台とを備え、
前記格納箱上部に前記敷きマット構成部材と掛布団部材とを引き上げた状態で、前記敷きマット構成部材と掛布団部材との間に送風乾燥する乾燥手段を、前記格納箱に配設したことを特徴とする請求項１ないし７のいずれかに記載の格納寝具。
【請求項９】
前記敷きマット構成部材と掛布団部材との間に送風乾燥する乾燥手段が、前記敷きマット構成部材と掛布団部材との間に配設された、両面に多数の穴をあけた穴開き袋を備え、該穴開き袋に乾燥装置から送気して前記穴から送風乾燥するようにしたことを特徴とする請求項８に記載の格納寝具。
【請求項１０】
前記敷きマット構成部材と掛布団部材との間に送風乾燥する乾燥手段が、前記敷きマット構成部材に両端部を軸着され、前記敷きマット構成部材と掛布団部材との間に配設されたコ字状の回動金具からなる分離機構を備えたことを特徴とする請求項８または９に記載の格納寝具。
【請求項１１】
前記格納箱が、その前面側に昇降可能に掃除手段を配設したことを特徴とする請求項１ないし１０のいずれかに記載の格納寝具。
【請求項１２】
前記掃除手段が、前記敷きマット構成部材および掛布団部材の横幅にほぼ等しい横幅に形成した左右一対の吸込み口と、該吸込み口にそれぞれ連結したホースおよび前記吸込み口の適所に連結した牽引索条と、少なくとも前記牽引索条を巻き取る前記格納箱上部に取り付けた巻取器とを備えていることを特徴とする請求項１ないし１１のいずれかに記載の格納寝具。
【請求項１３】
不使用時に各構成部材が格納される縦型の格納箱と、
敷きマット構成部材および掛布団部材の昇降端部を取り付けた、前記格納箱の長さ方向に設けたガイド部材に沿って配設した昇降ベルトと、
下端を該ガイド部材の下端において支持され、前記敷きマット構成部材の適所に上端を取り付けた支持アームと、
前記昇降ベルトに取り付けられ、前記敷きマット構成部材および掛布団部材の昇降端部を進退させるモータ駆動手段と、
前記敷きマット構成部材の先端下部に設置した首振り可能な支持脚とを備えたことを特徴とする格納寝具。
【請求項１４】
不使用時に各構成部材が格納される縦型の格納箱と、
敷きマット構成部材および掛布団部材の昇降端部を取り付けた、前記格納箱の長さ方向に設けたガイド部材に沿って配設した昇降ベルトと、
下端を該ガイド部材の下端において支持され、前記敷きマット構成部材の適所に上端を取り付けた支持アームと、
前記昇降ベルトに取り付けられ、前記敷きマット構成部材および掛布団部材の昇降端部を進退させるモータ駆動手段と、
前記敷きマット構成部材の先端下部に設置した首振り可能な支持脚とを備え、
前記格納箱上部に前記敷きマット構成部材と掛布団部材とを引き上げた状態で、前記敷きマット構成部材と掛布団部材との間に送風乾燥する乾燥手段を、前記格納箱に配設したことを特徴とする格納寝具。
【請求項１５】
前記敷きマット構成部材の先端下部に設置した首振り可能な支持脚は、一端部を前記支持アームの上端部に設けた回り止め板に軸着されるとともに、他端部を前記支持脚に軸着された連結アームを用いたリンク機構を備え、前記敷きマット構成部材および掛布団部材の展開動作または格納動作に連動して展開または格納が行われるようにしてあることを特徴とする請求項１３または１４に記載の格納寝具。
【請求項１６】
前記敷きマット構成部材と掛布団部材との間に送風乾燥する乾燥手段が、前記敷きマット構成部材に両端部を軸着され、前記敷きマット構成部材と掛布団部材との間に配設されたコ字状の回動金具からなる分離機構を備えたことを特徴とする請求項１４または１５に記載の格納寝具。
【請求項１７】
前記敷きマット構成部材と掛布団部材との間に送風乾燥する乾燥手段が、前記敷きマット構成部材と掛布団部材との間に配設された、両面に多数の穴をあけた穴開き袋を備え、該穴開き袋に乾燥装置から送気して前記穴から送風乾燥するようにしたことを特徴とする請求項１４ないし１６に記載の格納寝具。
【請求項１８】
前記敷きマット構成部材と掛布団部材との間に送風乾燥する乾燥手段が、前記敷きマット構成部材と掛布団部材との間の間隙に、前記敷きマット構成部材の先端部に設けた乾燥装置から上向きに送気して送風乾燥するようにしたことを特徴とする請求項１４ないし１６に記載の格納寝具。
【請求項１９】
前記敷きマット構成部材の適所への前記支持アーム上端の取り付け位置が、前記格納箱の長さ方向に設けたガイド部材の室内側であり、前記敷きマット構成部材および掛布団部材が降下動作において自重で降下をスタートするようにしたことを特徴とする請求項１３ないし１８のいずれかに記載の格納寝具。
【請求項２０】
前記モータ駆動手段が、ブレーキ付きの駆動モータであり、前記格納箱の長さ方向に設けたガイド部材の壁側に複数配置したリミットスイッチによる位置の検知に応じて、前記敷きマット構成部材および掛布団部材の降下の当初はブレーキを起動させ、その後ブレーキを解除させるよう制御するようにしたことを特徴とする請求項１３ないし１８のいずれかに記載の格納寝具。
【請求項２１】
前記モータ駆動手段が、変速機付きの駆動モータであり、降下の当初は緩やかに降下させ、その後所定速度で降下させるよう制御するようにしたことを特徴とする請求項１３ないし１８のいずれかに記載の格納寝具。
【請求項２２】
前記敷きマット構成部材および掛布団部材が、降下時は自重で降下するようにしたことを特徴とする請求項１３ないし１８のいずれかに記載の格納寝具。
【請求項２３】
前記格納箱に収納される前記敷きマット構成部材および掛布団部材が、接地面に対して縦長に設置されていることを特徴とする請求項１３ないし２２のいずれかに記載の格納寝具。
【請求項２４】
前記格納箱に収納される前記敷きマット構成部材および掛布団部材が、接地面に対して横長に設置されていることを特徴とする請求項１３ないし２２のいずれかに記載の格納寝具。
【請求項２５】
前記格納箱が、その前面側に昇降可能に掃除手段を配設したことを特徴とする請求項１３ないし２４のいずれかに記載の格納寝具。
【請求項２６】
前記掃除手段が、前記敷きマット構成部材および掛布団部材の横幅にほぼ等しい横幅に形成した左右一対の吸込み口と、該吸込み口にそれぞれ連結したホースおよび前記吸込み口の適所に連結した牽引索条と、少なくとも前記牽引索条を巻き取る前記格納箱上部に取り付けた巻取器とを備えていることを特徴とする請求項２５に記載の格納寝具。
【発明の詳細な説明】
【技術分野】
【０００１】
本発明は、敷きマット構成部材と掛布団部材の格納及び展開装備、寝具の殺菌、保温乾燥や清掃が可能な格納寝具に関する。
【背景技術】
【０００２】
従来、図３８のように壁１００に空間部１０１を設け、軸１０２によって敷きマット１０３を起伏自在とし、該敷きマット１０３が不用の場合には、空間部１０１に格納できるようにした格納ベッドがある。
また、特開２０１６−１８６号公報（特許文献１参照：特に図３）に示されているように、可動ベッド柱１側に回転軸金３８を介してベッドパネル６を９０°跳ね上げる形式のものがある。
さらに、先に本発明者が実用新案登録第３２０４３６０号公報（特許文献２参照）において提案した格納寝具及び／又は格納寝具ソファも知られている。
この格納寝具及び／又は格納寝具ソファは、不使用時に各構成部材が格納される格納箱と、該格納箱に設けた専用軸に一端が枢着されて他端を起伏可能にした敷きマット構成部材と、前記専用軸に回転可能に固定され、前記敷きマット構成部材上に一定のスペースを空けて覆い被さるように設けた可動フレーム構成部材と、当該可動フレーム構成部材に毛布等の寝具を着脱可能に取付ける固定具構成部材とを有するものである。
【先行技術文献】
【特許文献】
【０００３】
【特許文献１】特開２０１６−１８６号公報
【特許文献２】実用新案登録第３２０４３６０号公報
【発明の概要】
【発明が解決しようとする課題】
【０００４】
昔ながらの押し入れへの寝具の出し入れは、毎日の作業であり、高齢者にとって寝具の折りたたみ、持ち運びは体力的に過酷になっている。また、一人住まいの就労者にとっても毎日の押し入れへの寝具の出し入れは、過度な労力を伴い、それゆえ寝具を敷きっぱなしにすることがしばしばであり、衛生的にも美観的にも好ましくない状況となっている。
【０００５】
都心等の住居スペースは地価が高く、居住スペースが狭い部屋での生活を余儀なくされており、この部屋で睡眠を取るには、床にベッドを常時置いて、その上で睡眠を取るのが通例である。しかしながら狭い部屋に常時ベッドを置くことは居住空間を狭くし、生活空間を確保するのが困難となっている。
【０００６】
我が国では年々老齢化が進み、介護施設、病院等でのベッドでの生活を余儀なくされている老人、患者数は増加の一途をたどり、これらの人々の介護、看護に携わっている人々の労務は介護者、看護師の不足も加わり、過酷になっている。このことにより敷きマットのシーツ、掛け布団及び毛布カバーの取替えは一週間又は二週間に一度が通常であり、介護されている老人、入院中の患者は暖かくて衛生的な寝具での生活を望んでいる。
本発明は、上記の点に鑑みてなされたもので、省スペース性、省労力性、衛生性等を兼ね備えた新規な格納寝具を提供することを目的とする。
【課題を解決するための手段】
【０００７】
すなわち第１発明の格納寝具は、不使用時に各構成部材が格納される縦型の格納箱と、該格納箱に上下方向にガイドされて収納可能な敷きマット構成部材および掛布団部材と、該敷きマット構成部材および掛布団部材の先端部分を進退させる押出し・牽引手段と、該敷きマット構成部材および掛布団部材の基端を上向きに傾斜させる跳ね上げ手段と、前記敷きマット構成部材の先端下部に設置した移動可能な支持台とを備えたことを特徴とするものである。
要は、前記先行技術のように、壁面の下部に取り付けた軸によって敷きマット類を起伏自在とするものではなく、敷きマット構成部材を格納箱の中に引き込むような形態で収納するものである。
【０００８】
本発明の格納寝具において、前記格納箱に収納される前記敷きマット構成部材および掛布団部材が、接地面に対して縦長に設置されていることをも特徴とするものである。
【０００９】
本発明の格納寝具において、前記格納箱に収納される前記敷きマット構成部材および掛布団部材が、接地面に対して横長に設置されていることをも特徴とするものである。
【００１０】
本発明の格納寝具において、前記押出し・牽引手段が、前記格納箱下部に設けた前記敷きマット構成部材および掛布団部材を進退させるシリンダ型の押出し装置および牽引索条を巻き取る巻取器からなることをも特徴とするものである。
【００１１】
本発明の格納寝具において、前記敷きマット構成部材の先端下部に設置した移動可能な支持台が、前記敷きマット構成部材に脚部を介して取り付けられており、かつ前記押出し・牽引手段による降下の際の下端位置を床面から所望の高さに保持することによって、前記敷きマット構成部材を適宜高さとすることができるようにしたことをも特徴とするものである。
【００１２】
本発明の格納寝具において、前記支持台は、その下部に移動可能なキャスタが設置されており、かつ前記キャスタは前記支持台に設けたスライドガイドにほぼ中央を連結された折畳アームを介して首振り可能に取り付けられており、かつ前記キャスタに配設したリンク機構で、前記格納箱上部に前記敷きマット構成部材と掛布団部材とを引き上げたときに前記キャスタを折り畳むことができるようにしたことをも特徴とするものである。
【００１３】
本発明の格納寝具において、前記支持台は、その下部に移動可能な逆Ｔ字型のキャスタが設置されており、前記支持台の後方に配設した伸縮アーム上に取り付けたおもりの前記支持台に対する位置を、前記支持台上に設けたシリンダ型の押出し装置の伸縮によって変えることにより、前記支持台の移動時の転倒を防止するようにしたことも特徴とするものである。
【００１４】
本発明の格納寝具において、不使用時に各構成部材が格納される縦型の格納箱と、該格納箱に上下方向にガイドされて収納可能な敷きマット構成部材および掛布団部材と、該敷きマット構成部材および掛布団部材の先端部分を進退させる押出し・牽引手段と、該敷きマット構成部材および掛布団部材の基端を上向きに傾斜させる跳ね上げ手段と、前記敷きマット構成部材の先端下部に設置した移動可能な支持台とを備え、前記格納箱上部に前記敷きマット構成部材と掛布団部材とを引き上げた状態で、前記敷きマット構成部材と掛布団部材との間に送風乾燥する乾燥手段を、前記格納箱に配設したことをも特徴とするものである。
【００１５】
本発明の格納寝具において、前記敷きマット構成部材と掛布団部材との間に送風乾燥する乾燥手段が、前記敷きマット構成部材と掛布団部材との間に配設された、両面に多数の穴をあけた穴開き袋を備え、該穴開き袋に乾燥装置から送気して前記穴から送風乾燥するようにしたことをも特徴とするものである。
【００１６】
本発明の格納寝具において、前記敷きマット構成部材と掛布団部材との間に送風乾燥する乾燥手段が、前記敷きマット構成部材に両端部を軸着され、前記敷きマット構成部材と掛布団部材との間に配設されたコ字状の回動金具からなる分離機構を備えたことをも特徴とするものである。
【００１７】
本発明の格納寝具において、前記格納箱が、その前面側に昇降可能に掃除手段を配設したことをも特徴とするものである。
【００１８】
本発明の格納寝具において、前記掃除手段が、前記敷きマット構成部材および掛布団部材の横幅にほぼ等しい横幅に形成した左右一対の吸込み口と、該吸込み口にそれぞれ連結したホースおよび前記吸込み口の適所に連結した牽引索条と、少なくとも前記牽引索条を巻き取る前記格納箱上部に取り付けた巻取器とを備えていることをも特徴とするものである。
【００１９】
また第２発明の格納寝具は、不使用時に各構成部材が格納される縦型の格納箱と、敷きマット構成部材および掛布団部材の昇降端部を取り付けた、前記格納箱の長さ方向に設けたガイド部材に沿って配設した昇降ベルトと、下端を該ガイド部材の下端において支持され、前記敷きマット構成部材の適所に上端を取り付けた支持アームと、前記昇降ベルトに取り付けられ、前記敷きマット構成部材および掛布団部材の昇降端部を進退させるモータ駆動手段と、前記敷きマット構成部材の先端下部に設置した首振り可能な支持脚とを備えたことを特徴とするものである。
【００２０】
本発明の格納寝具において、不使用時に各構成部材が格納される縦型の格納箱と、敷きマット構成部材および掛布団部材の昇降端部を取り付けた、前記格納箱の長さ方向に設けたガイド部材に沿って配設した昇降ベルトと、下端を該ガイド部材の下端において支持され、前記敷きマット構成部材の適所に上端を取り付けた支持アームと、前記昇降ベルトに取り付けられ、前記敷きマット構成部材および掛布団部材の昇降端部を進退させるモータ駆動手段と、前記敷きマット構成部材の先端下部に設置した首振り可能な支持脚とを備え、前記格納箱上部に前記敷きマット構成部材と掛布団部材とを引き上げた状態で、前記敷きマット構成部材と掛布団部材との間に送風乾燥する乾燥手段を、前記格納箱に配設したことをも特徴とするものである。
【００２１】
本発明の格納寝具において、前記敷きマット構成部材の先端下部に設置した首振り可能な支持脚は、一端部を前記支持アームの上端部に設けた回り止め板に軸着されるとともに、他端部を前記支持脚に軸着された連結アームを用いたリンク機構を備え、前記敷きマット構成部材および掛布団部材の展開動作または格納動作に連動して展開または格納が行われるようにしてあることをも特徴とするものである。
【００２２】
本発明の格納寝具において、前記敷きマット構成部材と掛布団部材との間に送風乾燥する乾燥手段が、前記敷きマット構成部材に両端部を軸着され、前記敷きマット構成部材と掛布団部材との間に配設されたコ字状の回動金具からなる分離機構を備えたことをも特徴とするものである。
【００２３】
本発明の格納寝具において、前記敷きマット構成部材と掛布団部材との間に送風乾燥する乾燥手段が、前記敷きマット構成部材と掛布団部材との間に配設された、両面に多数の穴をあけた穴開き袋を備え、該穴開き袋に乾燥装置から送気して前記穴から送風乾燥するようにしたことも特徴とするものである。
【００２４】
本発明の格納寝具において、前記敷きマット構成部材と掛布団部材との間に送風乾燥する乾燥手段が、前記敷きマット構成部材と掛布団部材との間の間隙に、前記敷きマット構成部材の先端部に設けた乾燥装置から上向きに送気して送付乾燥するようにしたことをも特徴とするものである。
【００２５】
本発明の格納寝具において、前記敷きマット構成部材の適所への前記支持アーム上端の取り付け位置が、前記格納箱の長さ方向に設けたガイド部材の室内側であり、前記敷きマット構成部材および掛布団部材が降下動作において自重で降下をスタートするようにしたことをも特徴とするものである。
【００２６】
本発明の格納寝具において、前記モータ駆動手段が、ブレーキ付きの駆動モータであり、前記格納箱の長さ方向に設けたガイド部材の壁側に複数配置したリミットスイッチによる位置の検知に応じて、前記敷きマット構成部材および掛布団部材の降下の当初はブレーキを起動させ、その後ブレーキを解除させるよう制御するようにしたことをも特徴とするものである。
【００２７】
本発明の格納寝具において、前記モータ駆動手段が、変速機付きの駆動モータであり、降下の当初は緩やかに降下させ、その後所定速度で降下させるよう制御するようにしたことをも特徴とするものである。
【００２８】
本発明の格納寝具において、前記敷きマット構成部材および掛布団部材が、降下時は自重で降下するようにしたことをも特徴とするものである。
【００２９】
本発明の格納寝具において、前記格納箱に収納される前記敷きマット構成部材および掛布団部材が、接地面に対して縦長に設置されていることをも特徴とするものである。
【００３０】
本発明の格納寝具において、前記格納箱に収納される前記敷きマット構成部材および掛布団部材が、接地面に対して横長に設置されていることをも特徴とするものである。
【００３１】
本発明の格納寝具において、前記格納箱が、その前面側に昇降可能に掃除手段を配設したことをも特徴とするものである。
【００３２】
本発明の格納寝具において、前記掃除手段が、前記敷きマット構成部材および掛布団部材の横幅にほぼ等しい横幅に形成した左右一対の吸込み口と、該吸込み口にそれぞれ連結したホースおよび前記吸込み口の適所に連結した牽引索条と、少なくとも前記牽引索条を巻き取る前記格納箱上部に取り付けた巻取器とを備えていることをも特徴とするものである。
【発明の効果】
【００３３】
第１発明の格納寝具には次のような効果がある。
一人暮らしや、介護されている老人、入院中の患者は暖かくて衛生的な寝具での生活を望んでおり、省スペース性、省労力性、衛生性等を兼ね備えた新規な格納寝具を提供することが可能となった。
また寝具を広げたり収納する際に、ワンタッチの操作で敷きマット構成部材や掛布団部材を容易に展開装備することができる。すなわち、敷きマット構成部材や掛布団部材の自重を利用して展開することができ、また格納箱へ収納する際にも展開時の作業を逆に行うことによって容易に収納することができる。したがって、寝具装備及び格納のための労力を大幅に軽減することができる。
【００３４】
寝具格納時には、敷きマット構成部材や掛布団部材の送風乾燥や清掃等が容易にでき、これに伴う労力を大幅に軽減することができる。結果的に、常に寝具の衛生的で快適な環境を確保できる。
【００３５】
第２発明の格納寝具においては、敷きマット構成部材や掛布団部材の昇降をモータ駆動で行うようにしたため、敷きマット構成部材や掛布団部材の展開や収納等がワンタッチで行うことができ、これに伴う労力を大幅に軽減することができため、若年層や高齢層であっても容易に操作することができる。
【図面の簡単な説明】
【００３６】
【図１】第１発明の格納寝具の第１実施例（縦長）の要部を示し、（ａ）はその概略正面図、（ｂ）はその概略平面図である。
【図２】（ａ）はその概略側面図、（ｂ）はその概略側面断面図である。
【図３】その概略斜視図である。
【図４】本発明の格納寝具の第１実施例（縦長）の収納状態を示し、（ａ）はその概略正面図、（ｂ）はその概略平面図である。
【図５】（ａ）はその概略側面図、（ｂ）はその概略側面断面図である。
【図６】その概略斜視図である。
【図７】本実施例において使用する昇降手段を示し、（ａ）は左側から見た場合の概略斜視図、（ｂ）は右側から見た場合の概略斜視図である。
【図８】本発明の格納寝具の第２実施例の要部を示し、（ａ）はその概略正面図、（ｂ）はその概略側面図である。
【図９】前記実施例の格納寝具の動作の順序を示し、倒伏開始時の概略側面図である。
【図１０】前記実施例の格納寝具の動作の順序を示し、倒伏終了時の概略側面図である。
【図１１】前記実施例の格納寝具の動作の順序を示し、起立開始時の概略側面図である。
【図１２】図９の変形例を示す倒伏開始時の概略側面図である。
【図１３】敷きマット構成部材と掛布団部材との関係を示し、（ａ）はその概略正面図、（ｂ）はその概略側面図である。
【図１４】敷きマット構成部材と掛布団部材との間に送風乾燥する乾燥手段を示し、（ａ）はその概略正面図、（ｂ）はその概略側面図である。
【図１５】敷きマット構成部材と掃除手段の関係を示し、（ａ）はその概略正面図、（ｂ）はその概略側面図である。
【図１６】掃除手段の作動状態を示し、（ａ）はその概略正面図、（ｂ）はその概略側面図である。
【図１７】本発明の格納寝具の第３実施例（縦長）の要部を示し、（ａ）はその概略平面図、（ｂ）はその概略正面図、（ｃ）はその概略側面図である。
【図１８】その概略斜視図である。
【図１９】本発明の格納寝具の第３実施例（縦長）の収納状態を示し、（ａ）はその概略平面図、（ｂ）はその概略正面図、（ｃ）はその概略側面図である。
【図２０】その概略斜視図である。
【図２１】本発明の格納寝具の第３実施例（横長）の要部を示し、（ａ）はその概略平面図、（ｂ）はその概略正面図、（ｃ）はその概略側面図である。
【図２２】その概略斜視図である。
【図２３】本発明の格納寝具の第３実施例（横長）の収納状態を示し、（ａ）はその概略平面図、（ｂ）はその概略正面図、（ｃ）はその概略側面図である。
【図２４】その概略斜視図である。
【図２５】第２発明の格納寝具の実施例（縦長）の要部を示す概略側面図である。
【図２６】その概略分解側面図である。
【図２７】格納寝具の降下の初期段階の概略側面図である。
【図２８】格納寝具の降下の中間段階の概略側面図である。
【図２９】格納寝具の降下の終了段階の概略側面図である。
【図３０】その概略分解側面図である。
【図３１】敷きマット構成部材と支持アームとの係合状態を示し、（ａ）はその概略要部側面図、（ｂ）はその概略斜視図である。
【図３２】前記実施例の格納寝具の動作の経緯を示す概略側面図である。
【図３３】前記実施例に使用されるより詳細な回路を示す概略回路図である。
【図３４】前記実施例における展開段階のフロー図である。
【図３５】前記実施例における格納段階のフロー図である。
【図３６】前記実施例における別の乾燥手段を示し、（ａ）は概略正面図、（ｂ）は概略側面図である。
【図３７】前記実施例における押し出し手段を示す概略側面図である。
【図３８】従来例の格納式ベッドの概要を示す概略斜視図である。
【発明を実施するための形態】
【００３７】
以下、添付図面を参照して本発明の格納寝具の実施の形態について説明する。
第１実施例の格納寝具は、図１ないし図７に示すように、不使用時に各構成部材が格納される縦型の格納箱８１と、該格納箱８１に上下方向にガイドされて収納することを可能とした敷きマット構成部材８２および掛布団部材８３と、該敷きマット構成部材８２および掛布団部材８３の基端を昇降可能に懸垂する昇降手段８４と、前記敷きマット構成部材８２の先端下部に設置した移動可能な支持台９１とを備えたものである。
【００３８】
ちなみに、前記格納箱８１に収納される前記敷きマット構成部材８２および掛布団部材８３は、図に示すように、接地面に対して縦長に設置されていることが望ましいが、接地面に対して横長に設置されていてもよい。
【００３９】
第１実施例の格納寝具において前記昇降手段８４は、図７に示すように、前記格納箱８１上部に設けた前記敷きマット構成部材８２および掛布団部材８３を昇降させる巻き上げウインチ８５と、前記格納箱８１の両側に配設されたスライドガイド８６とすることができる。８７は前記両側のスライドガイド８６間で巻き上げウインチ８５を連結する巻取軸である。
この場合、まず図３に示すように、底部にキャスタ９２を備えた支持台９１の基端を巻き上げウインチ８５を緩めて降下させると、前記敷きマット構成部材８２および掛布団部材８３は自重で格納箱８１から離れる方向に移動し始め、同時に前記敷きマット構成部材８２および掛布団部材８３の上端は格納箱８１の両側に設けたスライドガイド８６に沿って自重で降下してくる。そして最終的には図１および図２に示すように、前記敷きマット構成部材８２および掛布団部材８３は水平に保持される。
【００４０】
次に前記敷きマット構成部材８２および掛布団部材８３を格納箱８１に収納する際には、図３に示すように、底部にキャスタ９２を備えた支持台９１の基端を巻き上げウインチ８５を巻き上げて上昇させると、前記敷きマット構成部材８２および掛布団部材８３は格納箱８１に引き寄せられる方向に移動し始め、同時に前記敷きマット構成部材８２および掛布団部材８３の上端は格納箱８１の両側に設けたスライドガイド８６に沿って上昇してくる。そして最終的には図４ないし図６に示すように、前記敷きマット構成部材８２および掛布団部材８３は格納箱８１に収納されるのである。
【００４１】
前記敷きマット構成部材８２および掛布団部材８３は格納箱８１に収納した状態で、図５および図６に示す分離機構によってその間に所定の隙間を開けられる。
すなわち、前記掛布団部材８３は前記敷きマット構成部材８２の上端に両端部を軸着したコ字状の回動金具９３を介して前記敷きマット構成部材８２に連結してある。
したがって、前記敷きマット構成部材８２と掛布団部材８３とを引き上げると、前記掛布団部材８３の自重で前記回動金具９３が下向きに首振りし、前記敷きマット構成部材８２と掛布団部材８３との間に所定の隙間ができるのである。
【００４２】
図５および図６において、前記格納箱８１上部に前記敷きマット構成部材８２と掛布団部材８３とを引き上げた状態で、前記敷きマット構成部材８２と掛布団部材８３との間に送風乾燥する乾燥手段９４を、前記格納箱８１に配設した状態を示すものである。すなわち、図５および図６のように前記敷きマット構成部材８２と掛布団部材８３との間に設けた所定の隙間の間に乾燥手段９４を配設するのである。
より詳しくは、前記敷きマット構成部材８２と掛布団部材８３との間に送風乾燥する乾燥手段９４は、前記敷きマット構成部材８２と掛布団部材８３との間に配設された、両面に多数の穴をあげた穴開き袋９６を備え、該穴開き袋９６に乾燥装置９５から送気して前記穴から送風して強制的に乾燥するようにしたものである。
【００４３】
前記支持台９１の下部に設置した移動可能なキャスタ９２は、図２および図３に示すように、前記支持台９１に設けたスライドガイド９１ｂにほぼ中央を連結された折畳アーム９１ａを介して首振り可能に取り付けられており、かつ前記昇降手段８４による降下の際の下端位置を床面から所望の高さに保持することによって、前記敷きマット構成部材８２を適宜高さとすることができるようになっている。
なお、９２ａは前記キャスタ９２に配設したリンク機構で、前記格納箱８１上部に前記敷きマット構成部材８２と掛布団部材８３とを引き上げたときに前記キャスタ９２を折り畳むようになっている。
【００４４】
次に第２実施例の格納寝具は、図８ないし図１６に示すように、不使用時に各構成部材が格納される縦型の格納箱１１と、該格納箱１１に上下方向にガイドされて収納することを可能とした敷きマット構成部材１２および掛布団部材１３と、該敷きマット構成部材１２および掛布団部材１３の先端部分を進退させる押出し・牽引手段１４と、該敷きマット構成部材１２および掛布団部材１３の基端を上向きに傾斜させるための跳ね上げ手段１５と、前記敷きマット構成部材１２の先端下部に設置した移動可能な支持台１６とを備えたものである。
ちなみに、跳ね上げ手段１５としては一般的なシリンダ型の押出し装置を用いることができる。
【００４５】
ちなみに、前記格納箱１１に収納される前記敷きマット構成部材１２および掛布団部材１３は、図に示すように、接地面に対して縦長に設置されていることが望ましいが、接地面に対して横長に設置されていてもよい。
【００４６】
次に、前記敷きマット構成部材１２および掛布団部材１３の先端部分を進退させる押出し・牽引手段１４は、前記格納箱１１下部に設けた前記敷きマット構成部材１２および掛布団部材１３を進退させるシリンダ型の押出し装置２１ａおよび牽引索条（ワイヤロープ等）を巻き取る巻取器２１ｂとすることができる。
この場合、底部にキャスタ２２を備えた支持台１６の適所をシリンダ型の押出し装置２１ａの先端で押すと、前記敷きマット構成部材１２および掛布団部材１３の先端は格納箱１１から離れる方向に移動し始め、同時に前記敷きマット構成部材１２の上端は格納箱１１の両側に設けたガイド２３に沿って自重で降下してくる。そして最終的には図１０に示すように、前記敷きマット構成部材１２および掛布団部材１３は水平に保持される。
図において２４は前記支持台１６の後方に配設した伸縮アーム１６ａ上に取り付けたおもりであって、前記支持台１６上に設けたシリンダ型の押出し装置２４ａの伸縮によって前記支持台１６に対する位置を変えることにより、前記支持台１６の移動時の転倒を防止するようになっている。
また２５は前記敷きマット構成部材１２および掛布団部材１３がガイド２３に沿って自重で降下してきたときに所定高さで停止させるストッパで、前記跳ね上げ手段１５の上端に取り付けられている。
【００４７】
なお、前記敷きマット構成部材１２の先端下部に設置した移動可能な支持台１６は、前記敷きマット構成部材１２に脚部２６を介して首振り可能に取り付けられており、かつ前記押出し・牽引手段１４による降下の際の下端位置を床面から所望の高さに保持することによって、前記敷きマット構成部材１２を適宜高さとすることができるようになっている。
【００４８】
次に前記敷きマット構成部材１２および掛布団部材１３を格納箱１１に収納する際には、最初に図１１に示すように前記ストッパ２５を跳ね上げ手段１５で所定高さまで持ち上げ、該敷きマット構成部材１２および掛布団部材１３の基端を上向きに傾斜させる。
その後、前記支持台１６を前記押出し・牽引手段１４を構成する牽引索条を巻き取る巻取器２１ｂで牽引すると、前記敷きマット構成部材１２および掛布団部材１３の先端は格納箱１１に引き付けられる方向に移動し始め、同時に前記敷きマット構成部材１２および掛布団部材１３の基端は格納箱１１の両側に設けたガイド２３に沿って上昇し、最終的には図８に示す状態となって前記格納箱１１に収納されるのである。
なお図１２は図９の変形例を示すものであり、前記押出し・牽引手段１４を構成する牽引索条を巻き取る巻取器２１ｂを格納箱１１の背面の上端に設置した状態を示すものである。
【００４９】
図１３は前記格納箱１１上部に前記敷きマット構成部材１２と掛布団部材１３とを引き上げた状態で、前記敷きマット構成部材１２と掛布団部材１３との間に所定の隙間を設ける分離機構を示すものである。
すなわち、前記掛布団部材１３が前記敷きマット構成部材１２の上端に軸着した回動金具２７を介して前記敷きマット構成部材１２に連結してある。したがって、前記敷きマット構成部材１２と掛布団部材１３とを引き上げると、前記掛布団部材１３の自重で前記回動金具２７が下向きに首振りし、前記敷きマット構成部材１２と掛布団部材１３との間に所定の隙間ができるのである。
【００５０】
図１４は前記格納箱１１上部に前記敷きマット構成部材１２と掛布団部材１３とを引き上げた状態で、前記敷きマット構成部材１２と掛布団部材１３との間に送風乾燥する乾燥手段３１を、前記格納箱１１に配設した状態を示すものである。すなわち、図１３のように前記敷きマット構成部材１２と掛布団部材１３との間に設けた所定の隙間の間に乾燥手段３１を配設するのである。
より詳しくは、前記敷きマット構成部材１２と掛布団部材１３との間に送風乾燥する乾燥手段３１は、前記敷きマット構成部材１２と掛布団部材１３との間に配設された、両面に多数の穴３４をあけた穴開き袋３３を備え、該穴開き袋３３に乾燥装置３２から送気して前記穴３４から送風して強制的に乾燥するようにしたものである。
【００５１】
図１５および図１６は、前記格納箱１１の前面側に昇降可能に掃除手段４１を配設した状態を示すものである。
すなわち、前記掃除手段４１は、前記敷きマット構成部材１２および掛布団部材１３の横幅にほぼ等しい横幅に形成した左右一対の吸込み口４２，４２と、該吸込み口４２，４２にそれぞれ連結したホース４３および前記吸込み口４２，４２の適所に連結した牽引索条４４と、すくなくとも前記牽引索条４４を巻き取る前記格納箱１１上部に取り付けた巻取器４５とを備えている。ちなみに、前記ホース４３として例えば伸縮自在の蛇腹構造のホースを採用すれば巻取りは不要である。
【００５２】
前記掃除手段４１の動作について説明すると、図１５に示す状態は、前記掃除手段４１の左右一対の吸込み口４２，４２は巻取器４５で牽引索条４４を巻き取って前記敷きマット構成部材１２の上端位置に保持されている。
この状態で掃除機（図示省略）を作動し、巻取器４５を解除して牽引索条４４を伸ばしつつ、前記左右一対の吸込み口４２，４２を前記敷きマット構成部材１２に沿って移動させると、前記敷きマット構成部材１２表面のごみは確実に前記左右一対の吸込み口４２，４２で吸引される。
図１６は前記左右一対の吸込み口４２，４２を前記敷きマット構成部材１２の下端まで移動させた状態を示すものである。
【００５３】
第３実施例の格納寝具は、図１７ないし図２０に示すように、不使用時に各構成部材が格納される縦型の格納箱５１と、該格納箱５１に上下方向にガイドされて収納することを可能とした敷きマット構成部材５２および掛布団部材５３と、該敷きマット構成部材５２および掛布団部材５３の基端を昇降可能に懸垂する昇降手段５４と、前記敷きマット構成部材５２の先端下部に設置した移動可能な支持台６１とを備えたものである。
【００５４】
ちなみに、前記格納箱５１に収納される前記敷きマット構成部材５２および掛布団部材５３は、図に示すように、接地面に対して縦長に設置されていることが望ましいが、接地面に対して横長に設置されていてもよい。
【００５５】
第３実施例の格納寝具において、前記昇降手段５４は、前記格納箱５１上部に設けた前記敷きマット構成部材５２および掛布団部材５３を昇降させる巻き上げウインチ５５と、前記格納箱の両側に配設されたスライドガイド５６とすることができる。
この場合、まず図１９に示すように、底部にキャスタ６２を備えた支持台６１の基端を巻き上げウインチ５５を緩めて降下させると、前記敷きマット構成部材５２および掛布団部材５３は自重で格納箱５１から離れる方向に移動し始め、同時に前記敷きマット構成部材５２および掛布団部材５３の上端は格納箱５１の両側に設けたスライドガイド５６に沿って自重で降下してくる。そして最終的には図１７および図１８に示すように、前記敷きマット構成部材５２および掛布団部材５３は水平に保持される。
【００５６】
次に前記敷きマット構成部材５２および掛布団部材５３を格納箱５１に収納する際には、図１９に示すように、底部にキャスタ６２を備えた支持台６１の基端を巻き上げウインチ５５を巻き上げて上昇させると、前記敷きマット構成部材５２および掛布団部材５３は格納箱５１に引き寄せられる方向に移動し始め、同時に前記敷きマット構成部材５２および掛布団部材５３の上端は格納箱５１の両側に設けたスライドガイド５６に沿って上昇してくる。そして最終的には図１９および図２０に示すように、前記敷きマット構成部材５２および掛布団部材５３は格納箱５１に収納されるのである。
【００５７】
前記敷きマット構成部材５２および掛布団部材５３は格納箱５１に収納した状態で、分離機構（図示せず）によってその間に所定の隙間を開けられる。
すなわち、前記掛布団部材５３を前記敷きマット構成部材５２の上端に軸着した回動金具（図示せず）を介して前記敷きマット構成部材５２に連結してある。
したがって、前記敷きマット構成部材５２と掛布団部材５３とを引き上げると、前記掛布団部材５３の自重で前記回動金具（図示せず）が下向きに首振りし、前記敷きマット構成部材５２と掛布団部材５３との間に所定の隙間ができるのである。
【００５８】
図１９および図２０において、前記格納箱５１上部に前記敷きマット構成部材５２と掛布団部材５３とを引き上げた状態で、前記敷きマット構成部材５２と掛布団部材５３との間に送風乾燥する乾燥手段７１を、前記格納箱５１に配設した状態を示すものである。すなわち、図１９のように前記敷きマット構成部材５２と掛布団部材５３との間に設けた所定の隙間の間に乾燥手段７１を配設するのである。
より詳しくは、前記敷きマット構成部材５２と掛布団部材５３との間に送風乾燥する乾燥手段７１は、前記敷きマット構成部材５２と掛布団部材５３との間に配設された、両面に多数の穴をあげた穴開き袋７３を備え、該穴開き袋７３に乾燥装置７２から送気して前記穴から送風して強制的に乾燥するようにしたものである。
なお、第３実施例の格納寝具においても、前記格納箱５１の前面側に前記実施例と同様の掃除手段を配設することができる。図において７４は目隠し用の前掛けである。
【００５９】
前記支持台６１の下部に設置した移動可能なキャスタ６２は、前記支持台６１に脚部６６を介して首振り可能に取り付けられており、かつ前記昇降手段５４による降下の際の下端位置を床面から所望の高さに保持することによって、前記敷きマット構成部材５２を適宜高さとすることができるようになっている。
【００６０】
図２１ないし図２４に本発明の格納寝具の第３実施例の変形例として、前記敷きマット構成部材５２と掛布団部材５３とを横長に配置した場合を示す。図２１〜図２４の変形例において、図２１（ａ）〜（ｃ）、図２２はそれぞれその展開状態を示すものである。
また、図２３（ａ）〜（ｃ）、図２４はそれぞれその収納状態を示すものである。
さらに前記敷きマット構成部材５２は支持台６１に脚部６６を介して取り付けて高さを上げられるようにしてある。
【００６１】
図２５ないし図３５は第２発明の格納寝具の実施例（縦長）の要部を示すものである。
図２５において、第２発明の格納寝具は、不使用時に各構成部材が格納される縦型の格納箱１１１と、敷きマット構成部材１１２および掛布団部材１１３の昇降端部を取り付けた、前記格納箱１１１の長さ方向に設けたガイド部材１１４に沿って配設した昇降ベルト１１５と、下端を該ガイド部材１１４の下端において支持され、前記敷きマット構成部材１１２の適所に上端を取り付けた支持アーム１１６と、前記昇降ベルト１１５に取り付けられ、前記敷きマット構成部材１１２および掛布団部材１１３の昇降端部を進退させるモータ駆動手段１１７と、前記敷きマット構成部材１１２の先端下部に設置した首振り可能な支持脚１１８とを備えている。図２６、図３１（ａ），（ｂ）において、１１９は前記支持アーム１１６の先端部分と該支持脚１１８上端との間を連結する連結アームである。
【００６２】
なお、前記敷きマット構成部材１１２および掛布団部材１１３の昇降端部と、前記昇降ベルト１１５と、前記モータ駆動手段１１７とは、例えば次の関係を有するものであってもよい。
１）前記昇降ベルト１１５は、前記モータ駆動手段１１７を構成するモータの回転シャフト（図示せず）と接続され、前記モータ駆動手段１１７の回転シャフトの回転に同期して回動する。
２）前記敷きマット構成部材１１２および掛布団部材１１３の昇降端部は、前記昇降ベルト１１５と接続され、前記昇降ベルト１１５の回動により前記ガイド部１１４に沿って昇降する。
【００６３】
なお本実施例では、前記格納箱１１１に収納される前記敷きマット構成部材１１２および掛布団部材１１３が、接地面に対して縦長に設置されているが、接地面に対して横長に設置される場合にも同様に適用できることはいうまでもない。
【００６４】
本発明の格納寝具においては、前記敷きマット構成部材１１２の適所への支持アーム１１６上端の取り付け位置は、前記格納箱１１１の長さ方向に設けたガイド部材１１４の室内側であり、したがって前記敷きマット構成部材１１２および掛布団部材１１３は降下動作の初期においては自重で降下をスタートするようになっている。
図２５ないし図３０において、前記モータ駆動手段１１７は、ブレーキ付きの駆動モータであり、前記格納箱１１１の長さ方向に設けたガイド部材１１４の壁側に複数配置したリミットスイッチ１２１，１２２，１２３による位置の検知に応じて、降下の当初は図２７のように駆動モータのブレーキを起動させ、その後図２８〜図２９のように駆動モータのブレーキを解除させるよう制御するようにしてある。
【００６５】
前記敷きマット構成部材１１２および掛布団部材１１３の収納状態（格納が完了している状態）と展開開始時の、駆動モータのブレーキの挙動については、例えば次の構成および挙動を適用可能である。
１）構成
前記モータ駆動手段１１７を構成する駆動モータの外部出力用の回転シャフト（図示せず）に前記昇降ベルト１１５が取り付けられており、前記回転シャフトの回転に連動して前記昇降ベルト１１５が回動するようにしてある。
前記回転シャフトにはブレーキ（図示せず）を設けて、該ブレーキを起動することにより前記回転シャフトが回転しないようにすることができる。
他方、前記敷きマット構成部材１１２および掛布団部材１１３の昇降端部は、前記昇降ベルト１１５に取り付けられており、前記昇降ベルト１１５の回動に連動して前記ガイド部材１１４に沿って昇降するようにしてある。
２）収納状態
前記モータ駆動手段１１７を構成する駆動モータの前記回転シャフトを、前記ブレーキを起動して回転しないようにしてある。したがって、前記敷きマット構成部材１１２および掛布団部材１１３を収納状態で保持することができる。
３）展開開始時
前記ブレーキを解除して前記回転シャフトが回転するようにするとともに、前記昇降ベルト１１５が前記回転シャフトの回転と連動して回動できるようにする。こうすることで、前記昇降ベルト１１５と接続された前記前記敷きマット構成部材１１２および掛布団部材１１３の昇降端部が、前記前記敷きマット構成部材１１２および掛布団部材１１３の自重により降下を開始することができるようになる。
【００６６】
もちろん、図２５ないし図３０において適用したリミットスイッチ１２１，１２２，１２３を用いず、前記敷きマット構成部材１１２および掛布団部材１１３は降下動作においては降下開始から降下完了までの全てを自重による自然降下とすることもできる。このとき、前記敷きマット構成部材１１２および掛布団部材１１３の昇降端部の降下速度は、降下初期から降下の経過に従い速度を増していくものの、前記駆動モータの回転シャフトの回転抵抗により、所定の速度に到達した後は定速度降下となる。この定速度降下においては、本発明の使用者その他の障害物が展開中のベッドに衝突したとしても、衝突された使用者その他の障害物に全く影響がなく、ベッドの展開を問題なく停止することができる程度の速度となっている。
【００６７】
次に、本発明に係る第２発明の各実施例に適用されるリンク機構について詳述する。
図２６、図３０、図３１に示すとおり、本発明に係るリンク機構は、前記敷きマット構成部材１１２の適所に上端を取り付けた支持アーム１１６と、前記敷きマット構成部材１１２の先端下部に設置した首振り可能な支持脚１１８と、一端部を前記支持アーム１１６の上端部に設けた回り止め板１７１に軸着されるとともに、他端部を前記支持脚１１８に軸着された連結アーム１１９とからなる。
そして、図３２に示すとおり、前記支持脚１１８は、前記リンク機構により、前記敷きマット構成部材１１２および掛布団部材１１３の昇降端部の昇降に伴う前記敷きマット構成部材１１２および掛布団部材１１３の展開動作または格納動作に連動して展開されまたは格納される。
【００６８】
前記リンク機構を構成する各部材は、次のとおり連結されている。
前記支持脚１１８は、該支持脚１１８に設けた軸孔１１８ａにおいて前記敷きマット構成部材１１２の先端下部に設けた軸孔１１２ａと首振り可能に軸着されている。そして、前記支持脚１１８は、前記軸孔１１８ａに対して、前記敷きマット構成部材１１２および掛布団部材１１３の展開完了時には前記敷きマット構成部材１１２の先端側に位置し、前記敷きマット構成部材１１２および掛布団部材１１３の格納完了時には前記敷きマット構成部材１１２の昇降端部側に位置するように設けた軸孔１１８ｂにおいて前記連結アーム１１９の一端部に設けた軸孔１１９ｂと軸着されている。
【００６９】
次に、前記支持アーム１１６は、該支持アーム１１６の上端部に回り止め板１７１を設けてあり、該回り止め板１７１は前記支持アーム１１６と一体的に形成されている。前記回り止め板１７１は、前記支持アーム１１６の前記敷きマット構成部材１１２との取り付け位置よりも支持アーム側１１６の所定の位置に軸孔１７１ａを設けてあり、該軸孔１７１ａにおいて前記連結アーム１１９の他端部１１９ａと軸着されている。
【００７０】
前記支持脚１１８が前記敷きマット構成部材１１２および掛布団部材１１３の展開動作と連動して展開される展開時リンク機構の挙動は、次のとおりである。
前記敷きマット構成部材１１２および掛布団部材１１３の昇降端部の降下動作とともに、前記支持アーム１１６が室内側へ傾倒していく。その際、前記支持アーム１１６の上端部に設けた回り止め板１７１の軸孔１７１ａは、前記敷きマット構成部材１１２と前記支持アーム１１６の取り付け位置との位置関係において、前記敷きマット構成部材１１２および掛布団部材１１３の昇降端部側に移動することとなる。それに伴い、前記回り止め板１７１の軸孔１７１ａと他端部１１９ａが軸着された前記連結アーム１１９は、前記支持脚１１８の軸孔１１８ｂと軸着された一端部１１９ｂを前記敷きマット構成部材１１２および掛布団部材１１３の昇降端部側に牽引することとなる。そうすると、前記支持脚１１８は、前記連結アーム１１９の一端部１１９ｂと連結された軸孔１１８ｂが前記軸孔１１８ａの回転軸を中心として前記敷きマット構成部材１１２および掛布団部材１１３の昇降端部側に回転移動することとなる。
【００７１】
したがって、前記敷きマット構成部材１１２および掛布団部材１１３の格納時には前記敷きマット構成部材１１２に沿うように格納されていた前記支持脚１１８は、前記敷きマット構成部材１１２および掛布団部材１１３の展開動作に連動して展開されるのである。
このとき、前記支持アーム１１６の上端部に設けた軸孔１１６ａの形状を、前記支持アームの長さ方向の延長線上に所定の長さ延長させるようにしてある。このようにすることで、展開過程のいかなる時点においても前記支持脚１１８の展開に伴う各部材にかかる負荷を解消することができ、前記支持脚１１８の展開を極めてスムーズに行うことができるようになるのである。
なお、前記リンク機構の格納時の挙動については、展開時リンク機構の挙動の反対の挙動をたどるため、説明は省略する。もちろん、格納時リンク機構の挙動においても、前記支持アーム１１６の軸孔１１６の形状を、前記支持アーム１１６の長さ方向の延長線上に所定の長さ延長させてあることにより、前記支持脚１１８の格納を極めてスムーズに行うことができる。
【００７２】
図３３は本発明の各実施例に使用される回路をより詳細に示す概略回路図である。図において、電源１３１から開閉器１３２を介して、コンデンサ１３６からブレーキ付駆動モータ１３４に接続されている。１３７ａは開閉器１３２とコンデンサ１３６の間に接続したベッド格納用スイッチであり、１３７ｂは開閉器１３２とコンデンサ１３６との間に前記ベッド格納用スイッチ１３７ａと並列に接続したベッド展開用スイッチである。
【００７３】
また、図３３において、１３８ａは前記ベッド格納用スイッチ１３７ａと前記ブレーキ付駆動モータ１３４との間に接続された格納時ブレーキ解除用スイッチであり、ベッドを格納する際に前記ベッド格納用スイッチ１３７ａと同時に閉路することにより、前記ブレーキ付駆動モータ１３４がベッドを格納する方向に回転させると同時にブレーキを解除するのである。
１３８ｂは前記ベッド展開用スイッチ１３７ｂと前記ブレーキ付駆動モータ１３４との間に接続された展開時ブレーキ解除用スイッチでありベッドを展開する際に前記ベッド展開用スイッチ１３７ｂと同時に閉路することにより、前記ブレーキ付駆動モータ１３４がベッドを展開する方向に回転させると同時にブレーキを解除するものである。
【００７４】
さらに、図３３において、１３９はブレーキ動作解除用電圧感知線Ｐの前記格納時ブレーキ解除用スイッチ１３８ａおよび前記展開時ブレーキ解除用スイッチ１３８ｂの前記ブレーキ付駆動モータ１３４側の接続点Ａと対極電源側である線Ｑの開閉器１３２の反電源側の接続点Ｂに接続されたブレーキ解除用スイッチであり、前記ブレーキ付駆動モータ１３４の回転と無関係に前記ブレーキ付駆動モータ１３４のブレーキを解除して、ベッドを自重により展開させるものである。
【００７５】
図３４は前記実施例における展開段階のフロー図である。
１）ベッド展開スイッチをＯＮにする。
２−１）敷きマット構成部材１１２および掛布団部材１１３の昇降端部がリミットスイッチＡとリミットスイッチＢとの間にある場合。
３−１）ＹＥＳのとき：展開時ブレーキの解除スイッチをＯＮにする。
４−１）さらにブレーキを解除する。
５−１）ベッドの自重により昇降ベルトが降下する。
６−１）ベッドを展開する。
２−２）逆に、ＮＯのとき：前記昇降端部がリミットスイッチＢとリミットスイッチＣとの間にある場合を確認する。
３−２）ＹＥＳのとき：展開時モータの駆動用スイッチをＯＮにするとともに、展開時ブレーキの解除スイッチをＯＮにする。
４−２）展開方向モータを駆動させ、ブレーキを解除する。
６−２）ベッドを展開する。
２−３）逆に、ＮＯのとき：前記昇降端部がリミットスイッチＣの位置にあるかどうかを確認する。
３−３）ＹＥＳのとき：展開時モータの駆動用スイッチをＯＦＦにするとともに、展開時ブレーキの解除スイッチをＯＦＦにする。
４−３）展開方向モータを駆動停止させ、ブレーキ動作を行わせる。
６−３）ベッドの展開を停止する。
【００７６】
図３５は前記実施例における格納段階のフロー図である。
１）ベッド格納スイッチをＯＮにする。
２）敷きマット構成部材１１２および掛布団部材１１３の昇降端部がリミットスイッチＡとリミットスイッチＣとの間にある場合。
３−１）ＹＥＳのとき：格納時モータの駆動用スイッチをＯＮにし、格納時ブレーキの解除スイッチをＯＮにする。
４−１）格納方向モータを駆動させ、ブレーキを解除する。
５−１）ベッドを格納する。
２−２）逆に、ＮＯのとき：前記昇降端部がリミットスイッチＡの位置にあるかどうかを確認する。
３−２）ＹＥＳのとき：格納時モータの駆動用スイッチをＯＦＦにするとともに、格納時ブレーキの解除スイッチをＯＦＦにする。
５−２）ベッドの格納を停止する。
【００７７】
ちなみに、前記モータ駆動手段１１７が変速機付きの駆動モータである場合にはそれをプログラム制御することにより、降下の当初は緩やかに降下させ、その後所定速度で降下させるようコントロールすることができる。
【００７８】
なお、本発明に係る第２発明の格納寝具の実施例においても、前記第１発明と同様に、前記格納箱１１１上部に前記敷きマット構成部材１１２と掛布団部材１３１とを引き上げた状態で、前記敷きマット構成部材１１２と掛布団部材１１３との間に所定の隙間を設ける分離機構を図１３に示すとおりに適用できることはいうまでもない。詳細は、第１実施例における適用方法と同様であるため省略する。
【００７９】
本発明に係る第２発明の格納寝具の実施例においても、前記第１発明と同様に、前記格納箱１１１上部に前記敷きマット構成部材１１２と掛布団部材１１３とを引き上げた状態で、前記敷きマット構成部材１１２と掛布団部材１１３との間に送風乾燥する乾燥手段を図１４に示すとおりに適用できることはいうまでもない。詳細は、第１実施例における適用方法と同様であるため省略する。
なお、本発明の第１発明および第２発明に係る各実施例に適用される図１４に示す前記乾燥手段３１においては、前記乾燥装置３２に乾燥完了後の前記穴開き袋３３内の空気を吸引する空気吸引手段（図示せず）が搭載されており、乾燥完了後に前記空気吸引手段により前記穴開き袋３３内の空気を吸引したのち、前記穴開き袋３３を巻き取り収納させることができるようになっている。
【００８０】
本発明の第１発明および第２発明に係る各実施例の格納寝具１１，５１，８１，１１１にそれぞれ適用される乾燥手段については、図３６に示すとおり、前記敷きマット構成部材１２，５２，８２，１１２の先端部１４１に取り付けられた乾燥装置１４２から前記敷きマット構成部材１２，５２，８２，１１２と掛布団部材１３，５３，８３，１１３との間の間隙１４３に、前記乾燥装置１４２から上向きに送気して送風乾燥することもできる。
【００８１】
さらに、本発明に係る第２発明の格納寝具の実施例においても、前記第１発明と同様に、前記格納箱１１１の前面側に昇降可能に掃除手段を図１５および図１６に示すとおりに適用できることはいうまでもない。詳細は、第１実施例における適用方法と同様であるため省略する。
【００８２】
図３７は、本発明に係る第２発明の格納寝具の実施例における押し出し手段を示す概略側面図である。図に示すとおり、前記格納箱１１１は壁側の前記敷きマット構成部材１１２と前記支持アーム１１６との取り付け位置に対応する位置に前記敷きマット構成部材１１２を室内側に押し出す押し出し手段１５１を設けてある。このようにすることで、前記敷きマット構成部材１１２および前記掛布団部材１１３の降下動作をよりスムーズに行えるようになるのである。
【産業上の利用可能性】
【００８３】
本発明の格納寝具は、アパートやマンション、各種の宿泊施設、病院や介護施設のみならず、省スペースや衛生的な環境等を要求される種々の施設や設備において好適に用いることができる。
【符号の説明】
【００８４】
１１  格納箱
１２  敷きマット構成部材
１３  掛布団部材
１４  押出し・牽引手段
１５  跳ね上げ手段
１６  支持台
１６ａ  伸縮アーム
２１ａ  押出し装置
２１ｂ  巻取器
２２  キャスタ
２３  ガイド
２４  おもり
２４ａ  シリンダ
２５  ストッパ
２６  脚部
２７  回動金具
３１  乾燥手段
３２  乾燥装置
３３  穴開き袋
３４  穴
４１  掃除手段
４２，４２  吸込み口
４３  ホース
４４  牽引索条
４５  巻取器
５１  格納箱
５２  敷きマット構成部材
５３  掛布団部材
５４  昇降手段
５５  巻き上げウインチ
５６  スライドガイド
６１  支持台
６２  キャスタ
６６  脚部
７１  乾燥手段
７２  乾燥装置
７３  穴開き袋
７４  目隠し用の前掛け
８１  格納箱
８２  敷きマット構成部材
８３  掛布団部材
８４  昇降手段
８５  巻き上げウインチ
８６  スライドガイド
８７  巻取軸
９１  支持台
９１ａ  折畳アーム
９１ｂ  スライドガイド
９２  キャスタ
９２ａ  リンク機構
９３  回動金具
９４  乾燥手段
９５  乾燥装置
９６  穴開き袋
１００  壁
１０１  空間部
１０２  軸
１０３  敷きマット
Ｓ  障害物
１１１  格納箱
１１２  敷きマット構成部材
１１２ａ  軸孔
１１３  掛布団部材
１１４  ガイド部材
１１５  昇降ベルト
１１６  支持アーム
１１６ａ  軸孔
１１７  モータ駆動手段
１１８  支持脚
１１８ａ  軸孔
１１８ｂ  軸孔
１１９  連結アーム
１１９ａ  軸孔
１１９ｂ  軸孔
１２１，１２２，１２３  リミットスイッチ
１３１  電源
１３２  開閉器
１３３  モータ駆動電源
１３４  ブレーキ付駆動モータ
１３５  ブレーキ稼働停止用電源確認電線
１３６  コンデンサ
１３７ａ  ベッド格納用スイッチ
１３７ｂ  ベッド展開用スイッチ
１３８ａ  格納時ブレーキ解除用スイッチ
１３８ｂ  展開時ブレーキ解除用スイッチ
１３９  ブレーキ解除用スイッチ
１４１  先端部
１４２  乾燥装置
１４３  間隙
１５１  押し出し手段
１７１  回り止め板
１７１ａ  軸孔
Ａ  接続点
Ｂ  接続点
Ｐ  ブレーキ動作解除用電圧感知線
Ｑ  線
【図１】
2020081875.tif 000003
【図２】
2020081875.tif 000004
【図３】
2020081875.tif 000005
【図４】
2020081875.tif 000006
【図５】
2020081875.tif 000007
【図６】
2020081875.tif 000008
【図７】
2020081875.tif 000009
【図８】
2020081875.tif 000010
【図９】
2020081875.tif 000011
【図１０】
2020081875.tif 000012
【図１１】
2020081875.tif 000013
【図１２】
2020081875.tif 000014
【図１３】
2020081875.tif 000015
【図１４】
2020081875.tif 000016
【図１５】
2020081875.tif 000017
【図１６】
2020081875.tif 000018
【図１７】
2020081875.tif 000019
【図１８】
2020081875.tif 000020
【図１９】
2020081875.tif 000021
【図２０】
2020081875.tif 000022
【図２１】
2020081875.tif 000023
【図２２】
2020081875.tif 000024
【図２３】
2020081875.tif 000025
【図２４】
2020081875.tif 000026
【図２５】
2020081875.tif 000027
【図２６】
2020081875.tif 000028
【図２７】
2020081875.tif 000029
【図２８】
2020081875.tif 000030
【図２９】
2020081875.tif 000031
【図３０】
2020081875.tif 000032
【図３１】
2020081875.tif 000033
【図３２】
2020081875.tif 000034
【図３３】
2020081875.tif 000035
【図３４】
2020081875.tif 000036
【図３５】
2020081875.tif 000037
【図３６】
2020081875.tif 000038
【図３７】
2020081875.tif 000039
【図３８】
2020081875.tif 000040